【手続補正書】
【提出日】平成17年1月21日(2005.1.21)
【手続補正１】
【補正対象書類名】特許請求の範囲
【補正対象項目名】全文
【補正方法】変更
【補正の内容】
【特許請求の範囲】
【請求項１】
信号光パルスを発生させる光源と、
該光源により発生させられた該信号光パルスの偏光状態を調節する偏光制御器と、
非線形位相遅れをもち、該偏光制御器で偏光状態が調節された該信号光パルスを受光する非線形ファイバー増幅器と、
該非線形ファイバー増幅器からの光パルス出力を圧縮するために配列されたファイバパルス圧縮器と、
を有することを特徴とする高パワー光パルスを発生する装置。
【請求項２】
信号光パルスを発生させる光源と、
非線形位相遅れをもち、該光源により発生させられた該信号光パルスを受光する非線形ファイバー増幅器と、
該非線形ファイバー増幅器からの光パルス出力を圧縮するために配列されたファイバパルス圧縮器と、
を有し、該非線形ファイバー増幅器が偏光面保存ファイバーであることを特徴とする高パワー光パルスを発生する装置。
【請求項３】
前記ファイバーパルス圧縮器は、ソリトン・ラマン圧縮器（ＳＲＣ）であることを特徴とする請求項１或いは２記載の高パワー光パルスを発生する装置。
【請求項４】
前記非線形ファイバー増幅器から光パルス出力を受光し、出力端で高パワー光パルスを供給する周波数変換器を有することを特徴とする請求項１或いは２記載の高パワー光パルスを発生する装置。
【請求項５】
前記非線形ファイバー増幅器の増幅ファイバーはダブルクラッドファイバーで、ポンプ光と信号光が該増幅ファイバーのコアの中に入射されることを特徴とする請求項１或いは２記載の高パワー光パルスを発生する装置。
【請求項６】
前記非線形ファイバー増幅器はマルチモードファイバーからなり、その中の信号光パルスは、主に該マルチモード増幅ファイバーの基本モードにされていることを特徴とする請求項１或いは２記載の高パワー光パルスを発生する装置。
【請求項７】
パルス圧縮が前記非線形ファイバー増幅器で行われることを特徴とする請求項１或いは２記載の高パワー光パルスを発生する装置。
【請求項８】
前記光源は、ファイバー発振器を有することを特徴とする請求項１或いは２記載の高パワー光パルスを発生する装置。
【請求項９】
前記非線形増幅器は、増幅ファイバーを有することを特徴とする請求項１或いは２記載の高パワー光パルスを発生する装置。
【請求項１０】
前記増幅ファイバーは、０．１５未満の開口数（ＮＡ）をもつことを特徴とする請求項９記載の高パワー光パルスを発生する装置。
【請求項１１】
前記増幅ファイバーは、５０μｍ2 より大きいコアの断面積をもつことを特徴とする請求項９記載の高パワー光パルスを発生する装置。
【請求項１２】
前記増幅ファイバーは、パルス圧縮を行うことを特徴とする請求項９記載の高パワー光パルスを発生する装置。
【請求項１３】
前記非線形増幅器からの光パルス出力を圧縮するために配列されたパルス圧縮器をさらに有することを特徴とする請求項１或いは２記載の高パワー光パルスを発生する装置。
【請求項１４】
前記非線形増幅器は、増幅ファイバー及び出力端の非ドープファイバーを有することを特徴とする請求項１或いは２記載の高パワー光パルスを発生する装置。
【請求項１５】
さらに、分散補償ファイバーを有することを特徴とする請求項１或いは２記載の高パワー光パルスを発生する装置。
【請求項１６】
前記周波数変換器のスペクトル許容帯域幅は、前記非線形ファイバー増幅器からの前記光パルス出力のスペクトルの拡がりより小さく、
該周波数変換器は、該スペクトル許容帯域幅よりも大きい該非線形ファイバー増幅器からの光パルス出力のスペクトルの一部から、エネルギーを該スペクトル許容帯域幅へと変換することを特徴とする請求項４記載の高パワー光パルスを発生する装置。
【請求項１７】
信号光を発生させる光源と、
非線形位相遅れをもち、該光源により発生させられた該信号光を受光する非線形ファイバー増幅器と、
該非線形ファイバー増幅器からの光パルス出力を圧縮するために配列されたファイバパルス圧縮器と、
出力端で高パワー光パルスを供給する周波数変換器と、
を有し、該パルス圧縮器の屈折率分布がファイバーの長さ方向でほぼ一様であることを特徴とする高パワー光パルスを発生する装置。
【請求項１８】
前記ファイバーパルス圧縮器は、ソリトン・ラマン圧縮器（ＳＲＣ）であることを特徴とする請求項１７記載の高パワー光パルスを発生する装置。
【請求項１９】
前記ソリトン・ラマン圧縮器は、前記光源から発生された信号光パルスの波長からシフトした中心波長をもつラマンパルスを発生することを特徴とする請求項１８記載の高パワー光パルスを発生する装置。
【請求項２０】
前記波長シフトしたラマンパルスは、ある程度の波長可変性を可能にすることを特徴とする請求項１９記載の高パワー光パルスを発生する装置。
【請求項２１】
前記ラマンパルスの前記波長は、０〜２０ＴＨｚシフトすることを特徴とする請求項１８ないし２０のいずれか記載の高パワー光パルスを発生する装置。
【請求項２２】
前記ラマンパルスの前記波長は、２０ＴＨｚ以上シフトすることを特徴とする請求項１８ないし２０のいずれか記載の高パワー光パルスを発生する装置。
【請求項２３】
前記ラマンパルスの波長シフト量は、前記ファイバー圧縮器に入力される光パルスのパワーレベルで調整されることを特徴とする請求項１８ないし２０のいずれか記載の高パワー光パルスを発生する装置。
【請求項２４】
前記周波数変換器の許容帯域幅は、前記ラマンパルスのスペクトル広がりと同等或いはそれ以下に調節され、該周波数変換器の周波数逓倍された出力の波長可変性を可能にすることを特徴とする請求項１８ないし２０のいずれか記載の高パワー光パルスを発生する装置。
【請求項２５】
前記ファイバー圧縮器は、偏光面保存ファイバーであることを特徴とする請求項１９記載の高パワー光パルスを発生する装置。
【請求項２６】
前記非線形ファイバー増幅器及び前記ファイバー圧縮器は、偏光面保存ファイバーを有することを特徴とする請求項１９記載の高パワー光パルスを発生する装置。
【請求項２７】
信号光を発生させる光源と、
非線形位相遅れをもち、該光源により発生させられた該信号光を受光する非線形ファイバー増幅器と、
該非線形ファイバー増幅器から光パルス出力を受光し、出力端で高パワー光パルスを供給する周波数変換器と、
を有し、該非線形ファイバー増幅器はマルチモード増幅ファイバーを有し、前記信号光は、主に該マルチモード増幅ファイバーの基本モードにされていることを特徴とする高パワー光パルスを発生する装置。
【請求項２８】
前記非線形ファイバー増幅器は、シングルモードの第１ファイバーとマルチモードの圧縮器ファイバーを有することを特徴とする請求項２７記載の高パワー光パルスを発生する装置。
【請求項２９】
前記マルチモード圧縮器ファイバーは、ソリトン・ラマン圧縮器であり、ラマンシフトが該マルチモード圧縮器ファイバーで行われることを特徴とする請求項２８記載の高パワー光パルスを発生する装置。
【請求項３０】
前記マルチモード圧縮器ファイバーは、偏光面保存ファイバーであることを特徴とする請求項２８記載の高パワー光パルスを発生する装置。
【請求項３１】
信号光を発生させる光源と、
該光源により発生させられた該信号光を受光する少なくとも１つのファイバー増幅器と、を有し、該ファイバー増幅器は、前記増幅された光パルスを圧縮するために配設された少なくとも１つの集積化された偏光面保存パルス圧縮器を含むことを特徴とする高パワー光パルスを発生する装置。
【請求項３２】
信号光を発生させる光源と、
非線形位相遅れをもち、該光源により発生させられた該信号光を受光する非線形ファイバー増幅器と、
該非線形ファイバー増幅器から光パルス出力を受光し、出力端で高パワー光パルスを供給する周波数変換器と、
を有し、パルス圧縮が前記非線形ファイバー増幅器で行われ、該非線形ファイバー増幅器が偏光面保存ファイバーであることを特徴とする２光子共焦点顕微鏡に使用する高パワー光パルスを発生する装置。
【請求項３３】
信号光を発生させる光源と、
非線形位相遅れをもち、該光源により発生させられた該信号光を受光する非線形ファイバー増幅器と、
該非線形ファイバー増幅器から光パルス出力を受光する周波数変換器と、
を有し、パルス圧縮が該非線形ファイバー増幅器で行われ、該周波数変換器が高パワー増幅器の注入シーディングに使用する高パワー光パルスを供給することを特徴とする高パワー超短光パルスを発生する装置。
【請求項３４】
信号光パルスを発生させるステップと、
増幅された信号光パルスを生成するために該信号光パルスを非線形増幅するステップと、
該信号光パルスと異なる波長の高パワー光パルスを生成するために該増幅された信号光パルスを周波数変換するステップと、
を有することを特徴とする高パワー光パルスを発生する方法。
【請求項３５】
前記信号光パルスの偏光状態を制御するための偏光制御ステップを有することを特徴とする請求項３４記載の高パワー光パルスを発生する方法。
【請求項３６】
前記信号光パルスを圧縮する圧縮ステップを有することを特徴とする請求項３４記載の高パワー光パルスを発生する方法。
【請求項３７】
前記非線形増幅するステップにおいて、前記信号光パルスを圧縮することを特徴とする請求項３４記載の高パワー光パルスを発生する方法。